(57)【要約】【課題】ペットに装着及び脱離するのに便利であり、首輪ベルトも胴輪ベルトも長さ調節が容易で、首輪ベルトと胴輪ベルトの固定具は剥き出しにならず、皮膚に食い込むことも、毛を痛めることもなく、散歩に便利なハーネスを提供する。【解決手段】ペットに装着するための首輪(1)と胴輪(4)を一体化したペット用ハーネス(10)であって、首輪(1)と胴輪(4)の各々に長さ調節具(2,5)及び連結具(3,6)を設け、首輪(1)と胴輪(4)は、ペットの背中部に配置した固定具に各々結合させ、固定具は保護カバー(7)によって覆う。【選択図】図１
2010166841.tif 000002
【特許請求の範囲】
【請求項１】
ペットに装着するための首輪と胴輪を一体化したペット用ハーネスであって、
前記首輪と前記胴輪の各々に長さ調節具及び連結具を設け、
前記首輪と前記胴輪は、ペットの背中部に配置した固定具に各々結合させ、
前記固定具は保護カバーによって覆われていることを特徴とするペット用ハーネス。
【請求項２】
前記固定具は金属製プレートであり、前記胴輪と略平行に位置するスリット孔Ａと、前記スリット孔Ａと所定の角度で対称となる位置に２つのスリット孔Ｂ，Ｃを設け、
前記スリット孔Ａに前記胴輪に固定したベルトを固定し、
前記スリット孔Ｂ，Ｃに前記首輪用ベルトを各々固定した請求項１に記載のペット用ハーネス。
【請求項３】
前記固定具は、金属製リングである請求項１に記載のペット用ハーネス。
【請求項４】
前記固定具は、金属製プレートであり、前記胴輪と略平行に位置する２つのスリット孔を設け、胴輪に近いスリット孔に前記胴輪に固定したベルトを固定し、
前記に遠いスリット孔に前記首輪用ベルトを各々固定した請求項１に記載のペット用ハーネス。
【請求項５】
前記固定具と前記胴輪との間に、引き紐を接続するためのリングを設けた請求項１〜４の何れか1項に記載のペット用ハーネス。
【請求項６】
前記保護カバーは、弾性体、軟質樹脂、布、革、合成皮革及び人工皮革から選ばれる少なくとも一つである請求項１〜５の何れか1項に記載のペット用ハーネス。
【請求項７】
前記保護カバーが、保護カバーの外側面にアクセサリーを着脱可能に取り付けられる取り付け受部を有する保護カバーである請求項１〜６の何れか1項に記載のペット用ハーネス。
【請求項８】
前記保護カバーのアクセサリー取り付け受部が、アクセサリーに形成されている取り付け用脚部先端の足部を挿入し係止するための穴である請求項７に記載のペット用ハーネス。
【請求項９】
前記保護カバーのアクセサリー取り付け受部が、アクセサリーに形成されている取り付け用ボタンを挿入し係止するためのボタン穴である請求項７に記載のペット用ハーネス。
【請求項１０】
前記保護カバーのアクセサリー取り付け受部が、アクセサリーに形成されている取り付け用ホックの雄ホック又は雌ホックと着脱可能に係止するための対応する雌ホック又は雄ホックである請求項７に記載のペット用ハーネス。
【請求項１１】
前記保護カバーのアクセサリー取り付け受部が、アクセサリーに形成されている取り付け用面状ファスナーの雄ファスナー又は雌ファスナーと着脱可能に係止するための対応する雌ファスナー又は雄ファスナーである請求項７に記載のペット用ハーネス。
【請求項１２】
前記保護カバーの少なくとも外側面の素材が、アクセサリーに形成されている取り付け用止めピンが差込可能な素材からなる請求項１〜６の何れか1項に記載のペット用ハーネス。
【請求項１３】
保護カバーの外側面に更にアクセサリーが取り付けられている請求項１〜６の何れか1項に記載のペット用ハーネス。
【発明の詳細な説明】
【技術分野】
【０００１】
本発明は、犬、猫、猿などのペット用ペット用ハーネスに関する。
【背景技術】
【０００２】
従来からペットのハーネスとしては、首輪ベルトと胴輪ベルトを一体化したハーネスが一般的に使用されている。引用文献１には、首輪ベルトと胴輪ベルトを背中部で一体化するとともに、胸の位置で首輪ベルトと胴輪ベルトを接続するベルトが提案されている。しかし、このようなハーネスはペットに装着及び脱離するのに不便であり、首輪ベルトも胴輪ベルトも長さ調節が容易ではなく、首輪ベルトと胴輪ベルトの固定具が剥き出しでペット皮膚に食い込んだり、毛を痛める問題があった。
【０００３】
引用文献２には、比較的幅の広い胸ベルトに首輪ベルトと胴輪ベルトを一体化し、背中部では背ベルトを用いて首輪ベルトと胴輪ベルト一体化し、車両に乗せるペットをシートベルトで固定する提案がされている。また、特許文献３には、同様に車両に乗せるペットをシートベルトで固定する目的で、脇に開閉部があるベストの胴部にベルトを巻いたハーネスが提案されている。しかし、特許文献２〜３のハーネスは、車両の安全ベルト用であり、散歩に使うには不便であった。
【先行技術文献】
【特許文献】
【０００４】
【特許文献１】特許第２５０６２８５号公報
【特許文献２】特開２００５−３３５５１５号公報
【特許文献３】実用新案登録第３１３２０７７号公報
【発明の概要】
【発明が解決しようとする課題】
【０００５】
本発明は、前記従来の問題を改善するため、ペットに装着及び脱離するのに便利であり、首輪ベルトも胴輪ベルトも長さ調節が容易で、首輪ベルトと胴輪ベルトの固定具は剥き出しにならず、皮膚に食い込むことも、毛を痛めることもなく、散歩に便利なハーネスを提供する。
【０００６】
また、本発明の好ましい一態様においては、かわいらしく見せるためなどにペットに装飾用にアクセサリーを取り付ける場合に、アクセサリーの取り付けが容易な保護カバーを有するハーネスも提供する。
【課題を解決するための手段】
【０００７】
本発明のハーネスは、ペットに装着するための首輪と胴輪を一体化したペット用ハーネスであって、前記首輪と前記胴輪の各々に長さ調節具及び連結具を設け、前記首輪と前記胴輪は、ペットの背中部に配置した固定具に各々結合させ、前記固定具は保護カバーによって覆われていることを特徴とする。
【０００８】
そして本発明の好ましい一態様においては、（１）項記載の前記保護カバーが、保護カバーの外側面にアクセサリーを着脱可能に取り付けられる取り付け受部を有する保護カバーであるペット用ハーネスである。
【０００９】
また、本発明の別の好ましい一態様においては、（１）項記載の保護カバーの外側面に更にアクセサリーが取り付けられているペット用ハーネスである。
【発明の効果】
【００１０】
本発明は、首輪と胴輪の各々に長さ調節具及び連結具を設けていることにより、ペットに装着及び脱離するのに便利である。すなわち、首輪も胴輪も一回調節すれば、次に装着するときは調節しなくてもよい。また、首輪と胴輪は、ペットの背中部に配置した固定具に各々結合させて一体化し、前記固定具は保護カバーによって覆われていることにより、前記固定具は剥き出しにならず、ペットの皮膚に食い込むことも、毛を痛めることもない。また、力の分散が均一でペットを傷めることもない。したがって、ペットに装着及び脱離するのに便利であり、首輪ベルトも胴輪ベルトも長さ調節が容易で、固定具は剥き出しにならず、皮膚に食い込むことも、毛を痛めることもなく、散歩に便利なハーネスとすることができる。
【００１１】
また、本発明の好ましい一態様においては、かわいらしく見せるためや、飼い主の趣向に応じてペットに装飾用にアクセサリーを取り付ける場合に、アクセサリーの取り付けが容易なハーネスとすることができる。
【図面の簡単な説明】
【００１２】
【図１】図１は本発明の一実施例におけるハーネスを犬に装着したときの正面図である。
【図２】図２は同、脱離するときの正面図である。
【図３】図３Ａは同、固定具部分の拡大図、図３Ｂは同、図３ＡのＩ−Ｉ断面図である。
【図４】図４Ａは本発明の実施例２における固定具部分の拡大図、図４Ｂは同、実施例３における固定具部分の拡大図である。
【図５】図５は本発明の別の一実施例における保護カバーにアクセサリーが取り付けられているハーネスを犬に装着したときの正面図である。
【図６】図６は本発明で用いる保護カバーの一実施態様のおもて側から見た平面図である。
【図７】図７は本発明で用いる保護カバーの別の一実施態様のおもて側から見た平面図である。
【図８】図８は本発明で用いる保護カバーの更に別の一実施態様のおもて側から見た平面図である。
【図９】図９（Ａ）〜（Ｆ）は保護カバーに取り付けるためのアクセサリーの例の斜視図である。
【図１０】図１０（Ａ）〜（Ｃ）は保護カバーに取り付けるためのアクセサリーの脚部３１と足部３２の部分のみの少数の例の部分斜視図である。
【図１１】図１１は本発明で用いる保護カバーの更に別の一実施態様のおもて側から見た平面図である。
【図１２】図１２は本発明で用いる保護カバーの更に別の一実施態様のおもて側から見た平面図である。
【図１３】図１３は本発明で用いる保護カバーの更に別の一実施態様のおもて側から見た平面図である。
【図１４】図１４は保護カバーに取り付けるためのアクセサリーの一例のおもて面側から見た平面図である。
【図１５】図１５は図１４のアクセサリーの一実施態様の裏側から見た底面図である。
【図１６】図１６は図１４のアクセサリーの別の一実施態様の裏側から見た底面図である。
【図１７】図１７は図１４のアクセサリーの更に別の一実施態様の裏側から見た底面図である。
【図１８】図１８は図１４のアクセサリーの更に別の一実施態様の裏側から見た底面図である。
【図１９】図１９は図１の保護カバー７のみを拡大した斜視図（図１のＤリング８側から見た斜視図）である。
【図２０】図２０は図１のＤリング８側とは反対側から見た斜視図である。
【図２１】図２１は図１９の保護カバーのおもて面（図１９の上面）にほぼ平行に保護カバーの厚さのほぼ中間で切断した場合の保護カバーのおもて面側から見た断面図である。
【図２２】図２２は別の態様の保護カバーの上から見た（おもて面側から見た）平面図である。
【図２３】図２３は図２２の保護カバーの開口部４１側から見た斜視図である。
【図２４】図２４は図２２の保護カバーの開口部４２側から見た斜視図である。
【図２５】図２５は図２２の保護カバーの開口部４１側から見た正面図である。
【図２６】図２６は図２２の保護カバーの開口部４２側から見た背面図である。
【図２７】図２７はＡ−Ａ´ラインの断面の端面図である。
【図２８】図２８は別の態様の保護カバーの図２７とほぼ同様の方向の断面の端面図である。
【図２９】図２９は更に別の態様の保護カバーの図２７とほぼ同様の方向の断面の端面図である。
【発明を実施するための形態】
【００１３】
本発明のペット用ハーネスは、首輪と胴輪の各々に長さ調節具及び連結具を設ける。長さ調節具は、通常のベルト用長さ調節具を使用できる。連結具としては、バックルタイプのものが操作が楽で好ましい。長さ調節具及び連結具の位置はとくに規定はないが、首輪部分は首の両側後ろのあたりが好ましい。胴輪部分は両腹側面の位置が好ましい。
【００１４】
首輪と胴輪は、ペットの背中部に配置した固定具に各々結合させて一体化し、前記固定具は保護カバーによって覆われている。固定具は金属製が好ましい。強度が高いからである。別な材料としては、ナイロン樹脂、ポリブチレンテレフタレート等のエンジニアリングプラスチック、又は繊維補強樹脂（ＦＲＰ）等も使用することができる。
【００１５】
固定具は、胴輪と略平行に位置するスリット孔Ａと、前記スリット孔Ａと所定の角度で対称となる位置に２つのスリット孔Ｂ，Ｃを設け、前記スリット孔Ａに前記胴輪に固定したベルトを固定し、前記スリット孔Ｂ，Ｃに前記首輪用ベルトを各々固定するのが好ましい。首輪と胴輪に均等に力が分散するためである。スリット孔の穴の大きさは、首輪と胴輪を構成するベルトが固定できる大きさであればどのようなものであっても良い。
【００１６】
上記において、スリット孔Ａと、前記スリット孔Ａと所定の角度で対称となる位置に２つのスリット孔Ｂ，Ｃを設ける場合の所定の角度とは、後述する図３中にαで示された部分の角度を言う。図３中にαはスリット孔Ａ(11)とスリット孔Ｂ(12)の角度を示しているがスリット孔Ａ(11)とスリット孔Ｃ(13)との角度も線対称となり同様である。この角度は、対象となるペットの種類、形状、固定具の取り付けられる位置などにより異なるので特に限定するものではないが、後述するように１５〜７５°の範囲が好ましく、さらに好ましくは２０〜７０℃である。要は、首輪用ベルトをスリット孔Ｂ，Ｃに取り付けてペットに場合に装着させた際に首輪用ベルトにあまり大きなねじれなどが発生しにくい角度に設計するとよいと言うことである。
【００１７】
また、固定具の別の態様としては、前記固定具は、金属製リングであってもよい。例えばＯリングを使用した場合は、首輪と胴輪を縫製により各々固定できる。
【００１８】
さらに別な固定具の態様としては、前記固定具は、金属製プレートであり、前記胴輪と略平行に位置する２つのスリット孔を設け、胴輪に近いスリット孔に前記胴輪に固定したベルトを固定し、前記に遠いスリット孔に前記首輪用ベルトを縫製により各々固定しても良い。
【００１９】
固定具と胴輪との間に、引き紐を接続するためのリングを設けることが好ましい。この位置が首輪と胴輪のほぼ中央であるからである。リングはＯ型リング又はＤ型リングが好ましく、とくにＤ型リングが好ましい。リングの直線部分を固定部にすると安定だからである。
【００２０】
固定具を覆う保護カバーは、弾性体、軟質樹脂、布、革、合成皮革及び人工皮革から選ばれる少なくとも一つが好ましい。柔らかい材料であればペットに対してやさしいからである。弾性体は、ゴム又はエラストマーがある。ゴムとしてはシリコーンゴム、フッ素ゴム、合成ゴム、天然ゴム等が使用できる。エラストマーとしては、スチレン系、オレフィン系、塩ビ系、ウレタン系、エステル系、ポリアミド系、フッ素系、塩素化ポリエチレン系等がある。これらのエラストマーは「プラスチックデータブック」１９９９年１２月１日、工業調査会、８５４〜９１０頁に記載されている。軟質樹脂としては、ウレタン樹脂、塩ビ樹脂、ポオレフィン発泡体樹脂等がある。布としては、織物、編み物、不織布等がある。革は、牛、馬、豚など天然の革がある。合成皮革、人工皮革は市販品を使用できる。
【００２１】
保護カバーは固定具の両面を覆うのが好ましい。固定具を露出させないためである。また、保護カバーの外側には、ペットの愛称、所有者の氏名、住所、電話番号などを油性ペンなどで記入できるようにしておき、迷子札として使用することもできる。
保護カバーは、後述するように本発明の一実施形態を示す実施例において図１〜図４などにおいて符号７で示されている。そして例えば図３Ｂ（断面図で符号７）にも示されるように、保護カバーは固定具の両面を覆うのが好ましい。
【００２２】
図１〜図４などにおいて符号７で示されている態様の保護カバーの構造について、図１９〜図２１を引用して、より詳細に説明する。図１９は、図１の保護カバー７のみを拡大した斜視図（図１のＤリング８側から見た斜視図）であり、図２０は図１のＤリング８側とは反対側から見た斜視図、図２１は、図１９の保護カバーのおもて面（図１９の上面）にほぼ平行に保護カバーの厚さのほぼ中間で切断した場合の保護カバーのおもて面側から見た断面図である。図１９〜図２１において、４０が保護カバーのおもて面パネルと裏面パネルを側面でつなぐ側壁であり、固定具９、１６、或いは固定リング１５等をその中に挿入することができ、首輪１ａ、１ｂなどをこれらに連結した際にそれらの連結部分の厚みなども考慮し、通常、それらの厚みより若干大きい厚み空間が確保できるに必要な高さを有する保護カバーの側壁である。側壁４０は、図１９と図２１に示されるように、固定ベルト１４等を少なくとも引き出せるに必要な大きさの開口部４１と、図２０と図２１に示されるように、固定具９、１６或いは固定リング１５等が保護カバー内に挿入できる程度の大きさの開口部４２とを有している。保護カバーが、例えば、各種弾性体（ゴム、エラストマー樹脂を含む）、軟質樹脂、場合により伸縮性の布、伸縮性のある合成皮革など手で引っ張ると伸びて、これらの開口の大きさ、厚み空間などを伸縮することができるような素材（例えば、各種弾性体（ゴム、エラストマー樹脂を含む）、軟質樹脂、場合により伸縮性の布、伸縮性のある合成皮革など）で作成されている場合には、上述の厚み空間や開口部の大きさは、上記のものより若干小さめにしてもよい。
【００２３】
図２２〜図２８に別の態様の保護カバーを示した。図２２が上から見た（おもて面側から見た）平面図、図２３が図２２の開口部４１側から見た斜視図、図２４が図２２の開口部４２側から見た斜視図、図２５が図２２の開口部４１側から見た正面図、図２６が図２２の開口部４２側から見た背面図、図２７は、Ａ−Ａ´ラインの断面の端面図である（Ｂ−Ｂ´ラインの断面の端面図も同様である）。
【００２４】
おもて面パネル４５が蓋のような状態でヒンジ部を軸としてその反対側が開閉可能なタイプである。厚み空間を確保するための側壁の高さや、開口部４１、開口部４２の大きさ、形などは、図１９〜図２１で説明した保護カバーと同等の意義のものであるので説明を省略する。側壁４０はヒンジ芯棒とバネの埋め込み部４４を除いて、裏面パネル４６の所定の周囲に形成されている。裏面パネル４６の側壁４０に形成されたヒンジ芯棒とバネの埋め込み部４９とおもて面パネル４５の側壁に形成されたヒンジ芯棒とバネの埋め込み部４４とにわたって図２７で示すようにヒンジ芯棒４７とバネ４８が設置されている。ここでバネ４８は、おもて面パネル４５が図２７の実線で示したように常に閉められるように付勢するバネであり、おもて面パネル４５を図２７の鎖線で示したように開けるには、手で端部を持ち上げて開けることになり、手を離すとバネ４８により、おもて面パネル４５が図２７の実線で示したように裏面パネル４６の側壁４０に向かって閉まる態様の保護カバーである。固定具などを保護カバー内にセットしたり取り外す際におもて面パネル４５を開閉できるようにしてこれらの作業を容易にできるようにした保護カバーである。かかるタイプの保護カバーは、比較的固めの素材、例えば、ポリエチレンやポリプロピレン、ポリスチレン程度の硬さの合成樹脂や、それより硬い硬質合成樹脂（熱硬化性樹脂や硬質塩化ビニル樹脂なども含む）や金属、セラミックスなどの比較的固めの素材で保護カバーを構成する場合にも比較的容易に適用可能な構造の保護カバーの一態様であるが、もちろん、弾性体や、軟質樹脂で作成してもよく、ペットに対し当たりが柔らかいという点で好ましい。
【００２５】
次に図２７とほぼ同様の方向の断面の端面図のみで示した別の態様の保護カバーを図２８に示した。図２２〜図２７に示した保護カバーと、主に異なる点はヒンジ部５１がヒンジ芯棒やバネなどを用いず、他の部分と一体的に成形されているプラスチックの薄いヒンジからなり、おもて面パネル４５のヒンジ部５１と反対の側に雄フック部５２を有し、また裏面パネル４６の側壁４０には前記雄フック部５２と係止可能な雌フック部５３が形成されているタイプであり、開閉の機構が図２２〜図２７に示した保護カバーと異なる態様のものであることを説明するために掲載したものであり、平面図、斜視図、正面図、背面図などは図２２〜図２７とは細部において若干異なることになるが、ほぼ同様の厚み空間を確保すること、必要な大きさや形の開口部４１と開口部４２をほぼ同様に設ける必要があることなど、開閉の機構が異なることを除いて、図２２〜図２６で説明した保護カバーと同等の意義のものであるので、図２２〜図２６に相当する平面図、斜視図、正面図、背面図などは省略した。かかるタイプの保護カバーは、剛直で全く変形しない極めて硬い素材を除いて比較的固めの素材、例えば、ポリエチレンやポリプロピレン、ポリスチレン程度の硬さの合成樹脂や、それより硬い硬質合成樹脂（熱硬化性樹脂や硬質塩化ビニル樹脂なども含む）や金属などの比較的固めの素材で保護カバーを構成する場合にも比較的容易に適用可能な構造の保護カバーの一態様であるが、もちろん、弾性体や、軟質樹脂で作成してもよく、ペットに対し当たりが柔らかいという点で好ましい。
【００２６】
次に図２７とほぼ同様の方向の断面の端面図のみで示した別の態様の保護カバーを図２９に示した。図２２〜図２７、図２８に示した保護カバーと、主に異なる点はヒンジ部などを用いず、おもて面パネルを取り外し可能にした態様の保護カバーである。図２９において、図２８のおもて面パネル４５のヒンジ部５１に相当する側とその反対の側の両方に雄フック部５４ｂ、５４ａを設け、これと対応する位置で裏面パネル４６の側壁４０に雌フック部５５ｂ、５５ａを設けて、それぞれ雄フック部５４ｂ、５４ａと雌フック部５５ｂ、５５ａとで係止可能にしたタイプであり、この両サイドの雄フック部と雌フック部とを係合させておもて面パネル４５を裏面パネル４６と一体にし、固定具などを保護カバー内にセットしたり取り外す際に雄フック部と雌フック部との係合をはずしておもて面パネル４５を取り外しできるようにしてこれらの作業を容易にできるようにした保護カバーである。すなわちペットに首輪や胴輪ベルトと固定具を装着したまま保護カバーのみを取り外したり装着することができるタイプの保護カバーである。これも開閉の機構が図２２〜図２７に示した保護カバーと異なることを説明するために掲載したものであり、平面図、斜視図、正面図、背面図などは図２２〜図２７とは細部において若干異なることになるが、ほぼ同様の厚み空間を確保すること、開口部４１や開口部４２をほぼ同様に設ける必要があることなど、開閉の機構が異なることを除いて、図２２〜図２６で説明した保護カバーと同等の意義のものであるので、図２２〜図２６に相当する平面図、斜視図、正面図、背面図などは省略した。かかるタイプの保護カバーは、剛直で全く変形しなし極めて硬い素材を除いて比較的固めの素材、例えば、ポリエチレンやポリプロピレン、ポリスチレン程度の硬さの合成樹脂や、それより硬い硬質合成樹脂（熱硬化性樹脂や硬質塩化ビニル樹脂なども含む）や金属などの比較的固めの素材で保護カバーを構成する場合にも比較的容易に適用可能な構造の保護カバーの一態様であるが、もちろん、弾性体や、軟質樹脂で作成してもよく、ペットに対し当たりが柔らかいという点で好ましい。
【００２７】
また、図示していないが、保護カバーを伸縮性性のない布、革、合成皮革又は人工皮革などで作る場合には、通常１枚の連続したこれらのシートで、保護カバーを施すべき部分（固定具とそれに連なる首輪ベルトと胴輪ベルトの固定具近傍の部分、すなわち、例えば図３、図４等の保護カバー７で覆われる部分、ただし首輪ベルトと胴輪ベルトが保護カバー外に導出される開口部４１や４２に相当する側の部分を除く）を下側から表側にかけて包み、表側の当該シートの合わせ目を適宜の手段、例えば面状ファスナー、ファスナー（ジッパー）、ホック、ボタンなどで閉じるようなものとすることができる。当該シートの合わせ目は側面に設ける態様としてもよい。
【００２８】
また、例えば、図２１〜２８で示したようなタイプでおもて面パネルの一部を布、革、合成皮革又は人工皮革などの素材としたい場合には、おもて面パネルの外周近傍を枠状に比較的形態保持性のある材料、例えば、ポリエチレンやポリプロピレン、ポリスチレン程度の硬さの合成樹脂や、それより硬い硬質合成樹脂（熱硬化性樹脂や硬質塩化ビニル樹脂なども含む）や金属、セラミックスなどで構成し、当該枠に布、革、合成皮革又は人工皮革などのシート状素材を張設した構造としてもよい。
【００２９】
以上、保護カバーとして、少数の具体的態様を説明したが、保護カバーは、本発明の目的にかなうものであれば、これらの態様のものに限定されるものではない。
【００３０】
更に、以上で説明したような保護カバーは、例えば図５に示したように装飾用にアクセサリー（３０ａ、３０ｂ、３０ｃなど）を着脱可能に取り付けることを可能とするものが好ましい。
【００３１】
すなわち前記保護カバーが、保護カバーの外側面（図３Ｂの符号７ａを付した側）にアクセサリーを着脱可能に取り付けられる取り付け受部を有する保護カバーである態様とすることが好ましい。
【００３２】
その一形態として、保護カバーの外側面に前記保護カバーのアクセサリー取り付け受部として、アクセサリーに形成されている取り付け用脚部先端の足部を挿入し係止するための穴を有する保護カバーが挙げられる。
【００３３】
かかる穴を有する保護カバーの具体的例としてそのおもて側から見た平面図を図６〜８に示した。もちろんこれらは少数の例であり、本発明の保護カバーがこれらのみに限定されるものではなく、本発明の趣旨に沿ってモディファイすることは自由である。もちろん例えば、図２２〜２８で説明したような保護カバーで、保護カバーの外側面にアクセサリーを着脱可能に取り付けられる取り付け受部を有する保護カバーにモディファイすることによってアクセサリーの取り付け、取り外しが容易な保護カバーとしてもよい。
【００３４】
図６に示された保護カバー７は、保護カバーの外側面に前記保護カバーのアクセサリー取り付け受部として、アクセサリーに形成されている取り付け用脚部先端の足部を挿入し係止するための穴２２を有する保護カバーである。かかる保護カバーはその外側面に、例えば、図９に（Ａ）〜（Ｆ）に示したようなアクセサリーに形成されている取り付け用脚部３１の先端の足部３２を挿入し係止するための穴２２を複数個有する保護カバーである。図６に示された保護カバー７は、その外側面に丸い穴２２が複数個設けられている。例えば、保護カバー７の少なくとも外側面が弾性ないし可とう性を有する材料で形成されている場合には、図９に示されたようなアクセサリーの少なくとも足部３２は変形しない硬質の材料で形成されていてもよいし、一方、保護カバー７の外側面が弾性ないし可とう性を有しない硬質の材料で形成されている場合には、アクセサリーの少なくとも足部３２はエラストマー、ゴム、弾性変形可能なプラスチックなどの弾性変形可能な足部３２を有するアクセサリーを使用すればよい。もちろん保護カバー７もアクセサリーの少なくとも脚部と足部も共に弾性体や軟質樹脂などの弾性ないし可とう性を有する素材で作製されたものを使用することが好ましい。
【００３５】
穴の大きさは取り付けられるアクセサリー脚部が挿入可能でアクセサリーの足部３２の大きさより若干小さくすることにより、アクセサリーを穴に嵌め込んだ後、足部３２の大きさが相対的に穴の大きさより相対的に大きいので、足部の存在により、簡単に抜け落ちないようにするためである。足部３２が前述のように弾性を有する場合には、力を加えて足部３２を穴に強引に押し込むか、足部３２を指でつまんで変形させて穴より足部３２の径を小さくしておいて穴に足部３２を挿入した後、足部３２を保護カバーの外側面（図３Ｂの符号７で示される保護カバーの図の上側の部分７ａに相当する部分）の裏側に突き出させて足部３２の径を元に戻せばよいし、足部３２が前述のように変形しない硬質の素材からなるものの場合には、少なくとも保護カバーの外側面が弾性ないし可とう性を有する材料で形成されている保護カバーを用いてアクセサリー足部３２を穴に挿入する場合には保護カバーの外側面の穴を広げてアクセサリー足部３２を保護カバーの外側面（図３Ｂの符号７で示される保護カバーの図の上側の部分７ａに相当する部分）の裏側に突き出させて穴の径を元に戻せばよい。
【００３６】
アクセサリーの本体部３０（図９参照）の形状は、アクセサリーとして使用するものであれば特に限定されるものではなく、図９（Ａ）のハート形、図９（Ｂ）の星形、図９（Ｃ）の人の顔形、図９（Ｄ）の花形、図９（Ｅ）のテニスラケット形、図９（Ｆ）の動物の顔形、図示していないが、蝶、トンボ、カブトムシその他の虫類のキャラクター、ウサギ、パンダ、コアラ、鹿、牛、馬その他の哺乳動物のキャラクター、鳥類、カエル、亀、爬虫類、魚類などの各種動物を図案化したもの、イチゴ、りんご、オレンジ、木、野菜などの各種植物類を図案化したもの、サッカーボール、その他の運動用具を図案化したもの、人形、衣類、鍵、家その他各種の形のあるものを図案化したもの、場合により矢印、クエッションマークなどの記号類とか目玉を図案化したものや、文字などのようにアクセサリーとしてはあまり一般的には使用されていない形状のものなど、アクセサリーとして使用可能なものであれば何でもよいのである。アクセサリーの本体の材質は特に限定されず、ガラス、宝石、石、セラミックス、硬質プラスチック、軟質プラスチック、エラストマー、ゴム類（天然ゴム、シリコーンゴムその他の合成ゴムも含む）、木材、布、ぬいぐるみのような繊維製品などからなるものが使用できる。
【００３７】
図６の保護カバーは丸い穴２２を複数個有するものを示したが、穴は１個でもよい。また穴の形は丸穴以外でもよく、穴を複数個有する場合には穴の形や大きさはそれぞれ異なった穴としてもよい。かかる態様の穴２３を有する保護カバー７の別の一例としてそのおもて側から見た平面図を図７に示した。穴２３（２３ａ、２３ｂ、２３ｃ、２３ｄ、２３ｅ）のうち２３ａは、アクセサリーに形成されている取り付け用脚部３１の脚部長手方向に垂直方向の断面形状と脚部先端の足部３２の形状が丸い形状のアクセサリーを取り付ける場合の穴であり、例えば、図９の（Ａ）〜（Ｆ）に示したようなアクセサリーを取り付けるのに好適な穴である。
【００３８】
図１０にアクセサリーの脚部３１と足部３２の部分のみの部分斜視図の少数の例を示した。図１０（Ａ）が、取り付け用脚部３１の脚部長手方向に垂直方向の断面形状が略三角形で、足部３２の平面形状も略三角形の場合、図１０（Ｂ）が、取り付け用脚部３１の脚部長手方向に垂直方向の断面形状が略楕円形で、足部３２の平面形状も略楕円形の場合、図１０（Ｃ）が、取り付け用脚部３１の脚部長手方向に垂直方向の断面形状が略正方形で、足部３２の平面形状も略正方形の場合の例であるが、形状はその他の多角形、星型、不規則な形状など、本発明において支障を来たさない形状であれば自由に採用できる。
【００３９】
図７に示した保護カバーの穴が２３ｂのような略三角形の穴の場合には例えば、図１０（Ａ）に示した脚部３１の長手方向に垂直方向の断面形状が略三角形で、足部３２の平面形状も略三角形のものを用いることが好適であり、保護カバーの穴が図７の２３Ｃに示した略楕円形の穴の場合には、例えば、図１０（Ｂ）に示した脚部３１の長手方向に垂直方向の断面形状が略楕円形で、足部３２の平面形状も略楕円形のものを用いることが好適であり、保護カバーの穴が図７の２３ｄに示した略正方形の穴の場合には、例えば、図１０（Ｃ）に示した脚部３１の長手方向に垂直方向の断面形状が略正方形で、足部３２の平面形状も略正方形のものを用いることが好適であるが、
着脱可能に、アクセサリーに形成されている取り付け用脚部先端の足部を保護カバーの穴に挿入し係止することが可能であれば、保護カバーの穴と脚部３１の長手方向に垂直方向の断面形状および足部３２の平面形状は、ほぼ同形状ないしは類似形状の組み合わせのみに限定されるものではない。なお、図７に示した保護カバーの穴２３ｅはボタンを挿入し係止することが可能な穴であり、したがって、後述する図１７で示す例のようにアクセサリーに形成されている保護カバーへの取り付け用部材がボタンの場合のボタン穴の例である。
【００４０】
次に図８は本発明の保護カバーの別の態様のおもて側から見た平面図である。保護カバー７の全体の外部形状がハート形になっている点を除いて他の部分は既に説明した態様の構造等を採用できる。このように保護カバーの全体の外部形状は、本発明のハーネスに使用する際にハーネスの機能を阻害しないものであって本発明の保護カバーとしての機能を発揮できるものであれば特に限定されるものではない。
【００４１】
図１１に保護カバーの外側面にアクセサリーを着脱可能に取り付けられる取り付け受部を有する別の態様の保護カバーのおもて側から見た平面図を示した。
【００４２】
図１１の保護カバー７の外側面にはホックの雄または雌ホック２４（この例では雌ホック２４ａとした）が複数個取り付けられている。保護カバー７の少なくとも外側面が布などで形成されている場合に好適であるが、保護カバー７の少なくとも外側面が布に限定されるものではなく、ホックの取り付けが可能（例えば接着などで取り付け可能）であれば何ら布に限定されるものではなく、先に例示した素材で構成されるものの大部分が使用可能である。
【００４３】
この様な保護カバーに取り付けるアクセサリーとしては、例えばそのおもて面側の平面図が図１４に示した蝶形のアクセサリー３０ｄを使用する場合を例にとって説明すると、図１５に示した当該蝶形のアクセサリー３０ｄの裏側から見た底面図に示したように図１１に示した保護カバーのホックと着脱可能に係止可能な対応する雌または雄ホック２４（この例では雄ホック２４ｂとした）を有するアクセサリー３０ｄを使用することができる。アクセサリーの素材もホックが取り付け可能なものであれば特に限定されるものではない。
【００４４】
次に図１２に保護カバーの外側面にアクセサリーを着脱可能に取り付けられる取り付け受部を有する更に別の態様の保護カバーのおもて側から見た平面図を示した。
【００４５】
図１２の保護カバー７の外側面には面状ファスナーの雄ファスナー又は雌ファスナー２５（この例では雌ファスナー２５ａとした）が複数個取り付けられている。保護カバー７の少なくとも外側面が布などで形成されている場合に好適であるが、保護カバー７の少なくとも外側面が布に限定されるものではなく、面状ファスナーの取り付けが可能（例えば接着などで取り付け可能）であれば何ら布に限定されるものではなく、先に例示した素材で構成されるものの大部分が使用可能である。
【００４６】
この様な保護カバーに取り付けるアクセサリーとしては、例えばそのおもて面側の平面図が図１４に示した蝶形のアクセサリー３０ｄを使用する場合を例にとって説明すると、図１６に示した当該蝶形のアクセサリー３０ｄの裏側から見た底面図に示したように図１２に示した保護カバーの面状ファスナーと着脱可能に係止可能な対応する雌または雄の面状ファスナー２５（この例では雄ファスナー２５ｂとした）を有するアクセサリー３０ｄを使用することができる。アクセサリーの素材も面状ファスナーが取り付け可能なものであれば特に限定されるものではない。
【００４７】
次に図１３に保護カバーの外側面にアクセサリーを着脱可能に取り付けられる取り付け受部を有する更に別の態様の保護カバーのおもて側から見た平面図を示した。
【００４８】
図１３の保護カバー７の外側面にはアクセサリーに設けられているボタンを挿入し係止するためのボタン穴２６ａが複数個開けられている。保護カバー７の少なくとも外側面が布などで形成されている場合に好適であるが、保護カバー７の少なくとも外側面が布に限定されるものではなく、ボタンを挿入し係止が可能な穴が形成できボタンを挿入し係止が可能な素材（例えばシート状弾性体、シート状軟質樹脂、革、合成皮革及び人工皮革など）であれば何ら布に限定されるものではない。
【００４９】
この様な保護カバーに取り付けるアクセサリーとしては、例えばそのおもて面側の平面図が図１４に示した蝶形のアクセサリー３０ｄを使用する場合を例にとって説明すると、図１７に示した当該蝶形のアクセサリー３０ｄの裏側から見た底面図に示したように図１３に示した保護カバーのボタン穴２６ａに着脱可能に係止可能なボタン２６ｂを有するアクセサリー３０ｄを使用することができる。アクセサリーの素材もボタン２６ｂの縫合などによる取り付けが可能なものであれば、例えば布、弾性体、軟質樹脂、革、合成皮革及び人工皮革など、特に限定されるものではない。
【００５０】
次に特に図示していないが、保護カバーの外側面にアクセサリーを着脱可能に取り付けられる取り付け受部として、前述したような穴、雄又は雌ホック、雄又は雌の面状ファスナーなど、アクセサリー自体に形成された連結具と組となって結合するための特定の連結機構は前記取り付け受部に持たないが、保護カバーの外側面が、安全ピンなどの止めピンや針と糸を通すことができる素材、例えば、布、シート状弾性体、シート状軟質樹脂、革、合成皮革及び人工皮革などで前記ピンを刺すことができ又は針と糸を通すことができる素材で構成されているだけのアクセサリー取り付け受部を有する保護カバーでもよい。
【００５１】
この様な保護カバーに取り付けるアクセサリーとしては、例えばそのおもて面側の平面図が図１４に示した蝶形のアクセサリー３０ｄを使用する場合を例にとって説明すると、図１８に示した当該蝶形のアクセサリー３０ｄの裏側から見た底面図に示したように、このアクセサリーは、その裏側面に安全ピン２７などの止めピンが形成されており、かかるアクセサリーの場合に、当該安全ピンなどの止めピンを保護カバーの外側面に差し込んで止めることもできる。
【００５２】
また、図示していないが、アクセサリーが針と糸が通る素材で構成されているか、又は、針と糸が通らない素材で構成されているがアクセサリー下面側に針と糸を通すための針穴が形成されているアクセサリーを用いる場合には、針と糸で当該アクセサリーを前記保護カバーの外側面に縫着により取り付けることも可能である。
【００５３】
また、図示していないが、アクセサリーが針と糸が通る素材で構成されているか、又は、針と糸が通らない素材で構成されているがアクセサリー下面側に針と糸を通すための針穴が形成されているアクセサリーを用いる場合であって、保護カバー７の外側面が、安全ピンなどの止めピンや針と糸をそのままでは通すことができない硬質の素材で形成されている場合には、アクセサリーの取り付け受部として止めピンのピンや針と糸を通すことができる穴が形成されている保護カバーの外側面とするか、保護カバーの外側面に止めピンのピンや針と糸を通すことができる穴を有する突起が形成されている保護カバーを用いる場合は、上述のようなアクセサリーが針と糸が通る素材で構成されているか、針と糸が通らない素材で構成されているがアクセサリー下面側に針と糸を通すための針穴が形成されているアクセサリー又は裏側面に安全ピンなどの止めピンが形成されているアクセサリーを当該保護カバーに取り付けることもできる。
【００５４】
なお、上記の説明は、一例としてアクセサリー本体が蝶であるアクセサリーの場合を例に挙げて説明したが、アクセサリー本体の形状は、何ら蝶に限定されるものではなく、蝶以外の各種のものが使用できることは前述した通りである。
【００５５】
次に、首輪及び／又は胴輪は編み物、織物、組み紐などの布製ベルト、革製ベルト、樹脂製ベルト、合成皮革や人工皮革のベルトを使用できる。
【実施例】
【００５６】
以下、実施例を用いてさらに具体的に本発明を説明する。なお、本発明は下記の実施例に限定されるものではない。
【００５７】
（実施例１）
本発明の一実施例のハーネスを図面により説明する。図１は本発明の一実施例におけるハーネス１０を犬に装着したときの正面図、図２は同、脱離するときの正面図、図３Ａは同、固定具（固定プレート）９の部分の拡大図、図３Ｂは同、図３ＡのＩ−Ｉ断面図である。このハーネス１０は、首輪１と胴輪４を図３Ａに示す固定具９を使用して背中部で一体化している。首輪１には長さ調節具２及びバックルタイプの連結具３を設け、胴輪４にも長さ調節具５及びバックルタイプの連結具６を設けている。固定具９は、図３Ｂに示すように保護カバー７によって覆われている。保護カバー７は軟質塩化ビニル樹脂製とし、固定具９に嵌め込む際に、保護カバー７の弾力性を利用し、保護カバー７を引き伸ばして固定具９に嵌め込んで、セットした。
【００５８】
図３Ａに示す固定具９は、金属製とし、胴輪４と略平行に位置するスリット孔Ａ１１と、スリット孔Ａ１１と所定の角度で対称となる位置に２つのスリット孔Ｂ，Ｃ（１２，１３）を設けている。前記において、所定の角度とは挟角αが１５〜７５°の範囲が好ましく、さらに好ましくは挟角αが２０〜７０℃である。本実施例では挟角αを各々３０°とした。そして、スリット孔Ａ１１に胴輪４に固定したベルト１４を固定し、スリット孔Ｂ，Ｃ（１２，１３）に首輪用ベルト１ａ，１ｂ（１）を各々固定した。固定は縫製によった。
【００５９】
また、固定具９と胴輪４との間のベルト１４に、引き紐を接続するためのＤリング８を通して固定した。首輪１及び胴輪４は幅１〜３ｃｍ、厚さ１〜５ｍｍの織物紐とした。
【００６０】
これにより、首輪１も胴輪４も一回長さ調節すれば、次に装着するときは調節しなくてもよかった。装着と脱離は、図２に示すようにバックルタイプの連結具３の雄３ａと雌３ｂ、及び同連結具６の雄６ａと雌６ｂを結合又は脱離させるだけでできた。また、首輪１と胴輪４は、犬の背中部に配置した固定具９に各々結合させて一体化し、固定具９は保護カバー７によって覆ったことにより、固定具９は剥き出しにならず、犬の皮膚に食い込むことも、毛を痛めることもなかった。また、犬にかかる力の分散が均一で犬を傷めることもなかった。
【００６１】
保護カバー７は固定具９を露出させないように、両面を覆うようにした。また、保護カバー７の外側には、ペットの愛称、所有者の氏名、住所、電話番号などを油性ペンなどで記入できるようにし、迷子札として使用した。
【００６２】
（実施例２）
本実施例は、図４Ａに示すように、実施例１の固定具（固定プレート）に換えて、金属製のＯリング１５を固定具として使用した例である。このＯリング１５には、首輪１ａ，１ｂと固定ベルト１４を縫製により固定し、図示してないが、実施例１と同様に両面に保護カバー７を被せた。このようにして作製したハーネスは、犬の皮膚や毛を傷めることなく、脱着が容易で、散歩に便利であった。
【００６３】
（実施例３）
本実施例は、図４Ｂに示すように、実施例１の固定具（固定プレート）に換えて、金属製の固定プレート１６を固定具として使用した例である。この固定プレート１６のスリット孔１７には固定ベルト１４を縫製により固定し、スリット孔１８には首輪１ａ，１ｂを縫製により固定し、図示してないが、実施例１と同様に両面に保護カバー７を被せた。このようにして作製したハーネスは、犬の皮膚や毛を傷めることなく、脱着が容易で、散歩に便利であった。
【００６４】
（実施例４）
本実施例は、図５に示すように保護カバーにアクセサリーを取り付けた状態のハーネスの実施例を示す。実施例１の保護カバー７を、図６で示した保護カバーの外側面に前記保護カバーのアクセサリー取り付け受部として、アクセサリーに形成されている取り付け用脚部先端の足部を挿入し係止するための穴２２を有する軟質塩化ビニル樹脂で作られた保護カバーを用い、図５に示すように、図９（Ｂ）で示した取り付け用脚部３１とその先端に足部３２を有する星形のアクセサリー３０ｂ、図９（Ａ）で示した取り付け用脚部３１とその先端に足部３２を有するハート形のアクセサリー３０ａ、図９（Ｃ）で示した取り付け用脚部３１とその先端に足部３２を有する人の顔形のアクセサリー３０ｃ（いずれのアクセサリーも合成ゴム製）をそれぞれ足部３２をつまんで弾性変形させてアクセサリー取り付け受部の穴２２より足部３２の径を小さくしておいて穴２２に足部３２を挿入した後、足部３２を保護カバーの外側面の裏側に突き出させて足部３２の径が弾性により元に戻った状態にして、各穴にそれぞれアクセサリー３０ｂ、３０ａ、３０ｃを取り付けた点を除いて、他の構成は実施例１と同一とした。このようにして作製したハーネスは、犬の皮膚や毛を傷めることなく、脱着が容易で、散歩に便利であると共に、趣味に応じてアクセサリーを取り付けることができ、アクセサリーの交換も容易であり、ペットにあまり負担をかけずに装飾をほどこすことができた。
【００６５】
以上のとおり、本発明の実施例のハーネスは、ペットの皮膚や毛を傷めることなく、ペットへの脱着が容易で、散歩に便利なハーネスとすることができる。
【００６６】
また、保護カバーがアクセサリー取り付け可能な態様である場合には、ペットにあまり負担をかけずにアクセサリーを取り付けて楽しむことができる。
【符号の説明】
【００６７】
１，１ａ，１ｂ  首輪
２，５  長さ調節具
３，６  連結具
３ａ，６ａ  連結具の雄
３ｂ，６ｂ  連結具の雌
４  胴輪
７  保護カバー
８  Ｄリング
９，１６  固定具（固定プレート）
１０  ハーネス
１１，１２，１３，１７，１８  スリット孔
１４  固定ベルト
１５  固定具（Ｏリング）
２２  アクセサリーに形成されている取り付け用脚部３１の先端の足部３２を挿入し係止するための穴
２３（２３ａ、２３ｂ、２３ｃ、２３ｄ、２３ｅ）  アクセサリーに形成されている取り付け用脚部３１の先端の足部３２を挿入し係止するための穴
２４  ホック（２４ａ  雌ホック、２４ｂ  雄ホック）
２５  面状ファスナー（２５ａ  雌ファスナー、２５ｂ  雄ファスナー）
２６ａ  ボタン穴
２６ｂ  ボタン
２７  安全ピン
３０  アクセサリーの本体部
３０ａ、３０ｂ、３０ｃ  アクセサリー
３０ｄ  蝶形のアクセサリー
３１  アクセサリーの取り付け用脚部
３２  足部
４０  側壁
４１  開口部
４２  開口部
４４  ヒンジ芯棒とバネの埋め込み部
４５  おもて面パネル
４６  裏面パネル
４７  ヒンジ芯棒
４８  バネ
４９  ヒンジ芯棒とバネの埋め込み部
５１  ヒンジ部
５２  雄フック部
５３  雌フック部
５４ａ、５４ｂ  雄フック部
５５ａ、５５ｂ  雌フック部
【図１】
2010166841.tif 000003
【図２】
2010166841.tif 000004
【図３】
2010166841.tif 000005
【図４】
2010166841.tif 000006
【図５】
2010166841.tif 000007
【図６】
2010166841.tif 000008
【図７】
2010166841.tif 000009
【図８】
2010166841.tif 000010
【図９】
2010166841.tif 000011
【図１０】
2010166841.tif 000012
【図１１】
2010166841.tif 000013
【図１２】
2010166841.tif 000014
【図１３】
2010166841.tif 000015
【図１４】
2010166841.tif 000016
【図１５】
2010166841.tif 000017
【図１６】
2010166841.tif 000018
【図１７】
2010166841.tif 000019
【図１８】
2010166841.tif 000020
【図１９】
2010166841.tif 000021
【図２０】
2010166841.tif 000022
【図２１】
2010166841.tif 000023
【図２２】
2010166841.tif 000024
【図２３】
2010166841.tif 000025
【図２４】
2010166841.tif 000026
【図２５】
2010166841.tif 000027
【図２６】
2010166841.tif 000028
【図２７】
2010166841.tif 000029
【図２８】
2010166841.tif 000030
【図２９】
2010166841.tif 000031